(57)【要約】【課題】操作者の作業効率を向上させることが可能な端末装置、画面制御方法およびプログラムを提供する。【解決手段】操作者によって情報入力が行われる入力フィールドを少なくとも一つ以上有する入力領域、および操作者によってチェック済み表示に変更されるチェック項目を少なくとも一つ以上有するチェック項目領域を含む画面を生成する画面生成部と、位置合わせを含まない所定の入力操作により前記チェック項目のチェック済み表示を制御するチェック制御部と、前記チェック制御部によるチェック済み表示制御の前後において、入力対象となっている前記入力フィールドが同一となるように、前記入力対象の制御を行う入力対象制御部と、を備える端末装置。【選択図】図２
2014232488.tif 000002
【特許請求の範囲】
【請求項１】
操作者によって情報入力が行われる入力フィールドを少なくとも一つ以上有する入力領域、および操作者によってチェック済み表示に変更されるチェック項目を少なくとも一つ以上有するチェック項目領域を含む画面を生成する画面生成部と、
位置合わせを含まない所定の入力操作により前記チェック項目のチェック済み表示を制御するチェック制御部と、
前記チェック制御部によるチェック済み表示制御の前後において、入力対象となっている前記入力フィールドが同一となるように前記入力対象の制御を行う入力対象制御部と、を備える端末装置。
【請求項２】
前記入力対象制御部は、前記チェック済み表示制御の際に、入力対象となっている前記入力フィールドの位置情報を取得し、前記チェック済み表示制御の後で、前記位置情報を取得した前記入力フィールドに入力対象を変更する、請求項１に記載の端末装置。
【請求項３】
前記入力対象制御部は、前記チェック済み表示制御の前後において、入力対象となっている前記入力フィールドの入力対象状態を維持する、請求項１に記載の端末装置。
【請求項４】
前記端末装置は、
警戒チェック項目記憶部と、
チェック無効化部と、をさらに備え、
前記チェック無効化部は、前記警戒チェック項目記憶部に記憶されたチェック項目に対して、前記チェック制御部の制御を無効化する、請求項２または３に記載の端末装置。
【請求項５】
前記警戒チェック項目記憶部は、前記操作者が過去にミスをしたチェック項目を記憶する、請求項４に記載の端末装置。
【請求項６】
前記チェック項目領域は、前記チェック制御部によるチェック済み表示の制御順序が定められた複数の前記チェック項目を有し、
前記チェック制御部は、前記順序に従って、前記チェック項目をチェック済み表示に変更する、請求項１〜５のいずれか一項に記載の端末装置。
【請求項７】
前記チェック項目領域に存在するチェック項目の少なくともいずれか一つがチェック済み表示である場合、
前記チェック制御部は、最後にチェック済み表示に変更されたチェック項目の次に順序付けられている未チェック済み表示のチェック項目をチェック済み表示に変更する、請求項６に記載の端末装置。
【請求項８】
前記チェック項目領域に存在するすべてのチェック項目がチェック済み表示である場合、
前記チェック制御部は、前記制御順序に従って前記チェック項目のチェック済み表示を未チェック済み表示に変更する、請求項７に記載の端末装置。
【請求項９】
前記所定の入力操作は、第１の入力操作または第２の入力操作であり、
前記チェック制御部は、前記第１の入力操作により、未チェック済み表示のチェック項目をチェック済み表示に変更し、前記第２の入力操作により、チェック済み表示のチェック項目を未チェック済み表示に変更する、請求項７に記載の端末装置。
【請求項１０】
前記チェック制御部は、前記第２の入力操作により、少なくとも最後にチェック済み表示に変更されたチェック項目を未チェック済み表示に変更する、請求項９に記載の端末装置。
【請求項１１】
前記チェック制御部は、前記第２の入力操作により、すべてのチェック済み表示のチェック項目を未チェック済み表示に変更する、請求項９に記載の端末装置。
【請求項１２】
前記端末装置は、次の制御順序に順序付けられているチェック項目を強調表示させるチェック項目強調部をさらに備える、請求項６〜１１のいずれか一項に記載の端末装置。
【請求項１３】
操作者が情報入力を行う入力フィールドを少なくとも一つ以上有する入力領域、および操作者によってチェック済み表示に変更されるチェック項目を少なくとも一つ以上有するチェック項目領域を含む画面を生成するステップと、
位置合わせを含まない所定の入力操作により前記チェック項目のチェック済み表示を制御するステップと、
前記チェック済み表示を制御する前後において、入力対象となっている前記入力フィールドが同一となるように前記入力対象の制御を行うステップと、
を含む画面制御方法。
【請求項１４】
コンピュータを
操作者によって情報入力が行われる入力フィールドを少なくとも一つ以上有する入力領域、および操作者によってチェック済み表示に変更されるチェック項目を少なくとも一つ以上有するチェック項目領域を含む画面を生成する画面生成部と、
位置合わせを含まない所定の入力操作により前記チェック項目のチェック済み表示を制御するチェック制御部と、
前記チェック制御部によるチェック済み表示制御の前後において、入力対象となっている前記入力フィールドが同一となるように前記入力対象の制御を行う入力対象制御部と、
として機能させるためのプログラム。
【発明の詳細な説明】
【技術分野】
【０００１】
本発明は、端末装置、画面制御方法およびプログラムに関する。
【背景技術】
【０００２】
銀行等の金融機関では口座開設、入出金、および口座振替等の各種業務が事務規定および事務マニュアル等に基づいて行われている。近年、情報処理技術の発達により、係る金融機関の各種業務において、操作者の事務作業を誘導し、チェックを促す事務ナビゲーションシステムが開発され、運用されている。
【０００３】
このような事務ナビゲーションシステムは、操作者の事務作業を誘導するために事務規定および事務マニュアル等に定められた手続に沿って、画面を表示し、遷移させる。また、手続の漏れをなくすために、上記の事務作業を誘導する画面と併せて、確認事項リストが表示される。
【０００４】
例えば、特許文献１には、業務画面、および該業務画面に応じた確認事項のリストを表示し、確認事項にチェック入力をさせるワークフローシステムが開示されている。
【０００５】
また、特許文献２には、チェックボックスに対しチェック入力を行うための操作として、マウスによるクリック操作だけでなくキーボードのキー操作を用いることができる旨が記載されている。
【先行技術文献】
【特許文献】
【０００６】
【特許文献１】特開２００８−２５０７８０号公報
【特許文献２】特開２０００−８１９３４号公報
【発明の概要】
【発明が解決しようとする課題】
【０００７】
しかし、上記先行文献に開示された技術では、業務画面において入力欄への情報入力中に、確認事項リストにチェック入力を行った場合、チェック入力を行ったチェック項目に入力対象が移動してしまう。したがって、チェック項目へのチェック入力後も、引き続き入力欄への情報入力を行う場合、操作者は、入力対象を情報入力中であった入力欄に戻す作業を行わなくてはならず、チェック入力により作業効率が低下するという問題があった。
【０００８】
特に、特許文献２に記載されるようにキーボードのキー操作によりチェックボックスに対しチェック入力を行う場合、チェック入力前後で連続してキーボードから記入欄へ情報入力を行うことができず、作業効率が低下するという問題があった。
【０００９】
そこで、本発明は、上記問題に鑑みてなされたものであり、本発明の目的とするところは、操作者の作業効率を向上させることが可能な、新規かつ改良された端末装置、画面制御方法およびプログラムを提供することにある。
【課題を解決するための手段】
【００１０】
上記課題を解決するために、本発明のある観点によれば、操作者によって情報入力が行われる入力フィールドを少なくとも一つ以上有する入力領域、および操作者によってチェック済み表示に変更されるチェック項目を少なくとも一つ以上有するチェック項目領域を含む画面を生成する画面生成部と、位置合わせを含まない所定の入力操作により前記チェック項目のチェック済み表示を制御するチェック制御部と、前記チェック制御部によるチェック済み表示制御の前後において、入力対象となっている前記入力フィールドが同一となるように前記入力対象の制御を行う入力対象制御部と、を備える端末装置が提供される。
【００１１】
前記入力対象制御部は、前記チェック済み表示制御の際に、入力対象となっている前記入力フィールドの位置情報を取得し、前記チェック済み表示制御の後で、前記位置情報を取得した前記入力フィールドに入力対象を変更してもよい。
【００１２】
前記入力対象制御部は、前記チェック済み表示制御の前後において、入力対象となっている前記入力フィールドの入力対象状態を維持してもよい。
【００１３】
前記端末装置は、警戒チェック項目記憶部と、チェック無効化部と、をさらに備え、前記チェック無効化部は、前記警戒チェック項目記憶部に記憶されたチェック項目に対して、前記チェック制御部の制御を無効化してもよい。
【００１４】
前記警戒チェック項目記憶部は、前記操作者が過去にミスをしたチェック項目を記憶してもよい。
【００１５】
前記チェック項目領域は、前記チェック制御部によるチェック済み表示の制御順序が定められた複数の前記チェック項目を有し、前記チェック制御部は、前記順序に従って、前記チェック項目をチェック済み表示に変更してもよい。
【００１６】
前記チェック項目領域に存在するチェック項目の少なくともいずれか一つがチェック済み表示である場合、前記チェック制御部は、最後にチェック済み表示に変更されたチェック項目の次に順序付けられている未チェック済み表示のチェック項目をチェック済み表示に変更してもよい。
【００１７】
前記チェック項目領域に存在するすべてのチェック項目がチェック済み表示である場合、前記チェック制御部は、前記制御順序に従って前記チェック項目のチェック済み表示を未チェック済み表示に変更してもよい。
【００１８】
前記所定の入力操作は、第１の入力操作または第２の入力操作であり、前記チェック制御部は、前記第１の入力操作により、未チェック済み表示のチェック項目をチェック済み表示に変更し、前記第２の入力操作により、チェック済み表示のチェック項目を未チェック済み表示に変更してもよい。
【００１９】
前記チェック制御部は、前記第２の入力操作により、少なくとも最後にチェック済み表示に変更されたチェック項目を未チェック済み表示に変更してもよい。
【００２０】
前記チェック制御部は、前記第２の入力操作により、すべてのチェック済み表示のチェック項目を未チェック済み表示に変更してもよい。
【００２１】
前記端末装置は、次の制御順序に順序付けられているチェック項目を強調表示させるチェック項目強調部をさらに備えてもよい。
【００２２】
また、上記課題を解決するために、本発明の別の観点によれば、操作者が情報入力を行う入力フィールドを少なくとも一つ以上有する入力領域、および操作者によってチェック済み表示に変更されるチェック項目を少なくとも一つ以上有するチェック項目領域を含む画面を生成するステップと、位置合わせを含まない所定の入力操作により前記チェック項目のチェック済み表示を制御するステップと、前記チェック済み表示を制御する前後において、入力対象となっている前記入力フィールドが同一となるように前記入力対象の制御を行うステップと、を含む画面制御方法が提供される。
【００２３】
また、上記課題を解決するために、本発明の別の観点によれば、コンピュータを操作者によって情報入力が行われる入力フィールドを少なくとも一つ以上有する入力領域、および操作者によってチェック済み表示に変更されるチェック項目を少なくとも一つ以上有するチェック項目領域を含む画面を生成する画面生成部と、位置合わせを含まない所定の入力操作により前記チェック項目のチェック済み表示を制御するチェック制御部と、前記チェック制御部によるチェック済み表示制御の前後において、入力対象となっている前記入力フィールドが同一となるように前記入力対象の制御を行う入力対象制御部と、として機能させるためのプログラムが提供される。
【発明の効果】
【００２４】
以上説明したように本発明によれば、操作者の作業効率を向上させることが可能である。
【図面の簡単な説明】
【００２５】
【図１】本発明の実施形態に係る端末装置の概略を説明する説明図である。
【図２】本発明の実施形態に係る端末装置、表示装置、および入力デバイスの内部構成を示したブロック図である。
【図３】本発明の実施形態に係る端末装置が生成する業務画面の具体例を示す説明図である。
【図４】図３に示す業務画面の制御の一例を示す説明図である。
【図５】図３に示す業務画面の制御の一例を示す説明図である。
【図６】図３に示す業務画面の制御の一例を示す説明図である。
【図７】図３に示す業務画面の制御の一例を示す説明図である。
【図８】本発明の実施形態に係る端末装置の動作を示したフローチャート図である。
【図９】本発明の実施形態に係る端末装置のハードウェア構成を示すブロック図である。
【発明を実施するための形態】
【００２６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２７】
＜１．本発明の実施形態に係る端末装置の概略＞
まず、図１を参照して、本発明の実施形態に係る端末装置１の概略構成について説明する。図１は、本発明の実施形態に係る端末装置の概略を説明する説明図である。
【００２８】
図１に示すように、本発明の実施形態に係る端末装置１は、表示装置３、入力デバイス５Ａおよび５Ｂと接続されている。また、表示装置３には、入力領域２１およびチェック項目領域２２を含む業務画面２０が表示される。
【００２９】
端末装置１は、業務画面２０を生成して表示装置３に表示させる。また、端末装置１は、入力デバイス５Ａおよび５Ｂからの入力に基づいて、業務画面２０の制御を行う。より具体的には、端末装置１は、情報入力が行われる入力フィールドを有する入力領域２１、およびチェック項目を有するチェック項目領域２２を含む業務画面２０を生成し、表示装置３に表示させる。また、端末装置１は、入力デバイス５Ａおよび５Ｂからの位置合わせを含まない所定の入力操作により、チェック項目領域２２のチェック項目に対してチェック済み表示の制御を行う。さらに、端末装置１は、前述したチェック済み表示制御の前後において、入力対象として情報入力が行われる入力フィールドが同一となるように入力対象の制御を行う。
【００３０】
ここで、本願明細書における位置合わせとは、例えば、画面上の任意の項目を選択可能なポインタまたはカーソル等を移動させて、チェック済み表示の制御が行われるチェック項目に重ね合わせることを表す。より具体的には、位置合わせとは、マウスなどのポインティングデバイスを用いて、ポインタを業務画面２０のチェック済み表示の制御が行われるチェック項目上に移動させることを表す。したがって、位置合わせを含まない入力操作とは、例えば、キーボードにおけるキーの押下、マウスおよび制御パネル等におけるボタンの押下などを表す。
【００３１】
なお、端末装置１には、どの入力操作が位置合わせを含まない所定の入力操作に該当するのかがあらかじめ設定されている。以降では、端末装置１に設定された上記の位置合わせを含まない所定の入力操作を、簡易チェック入力操作と表す。例えば、端末装置１は、キーボードからの特定キーの押下を簡易チェック入力操作としてあらかじめ設定し、該特定キーを押下された場合に、チェック項目のチェック済み表示制御を行ってもよい。また、端末装置１は、特定キーが有する本来の機能を実行してもよいし、実行しなくてもよい。
【００３２】
さらに、端末装置１は、位置合わせを含む入力操作によっても、チェック項目領域２２が有するチェック項目に対してチェック済み表示の制御を行う。例えば、マウスなどのポインティングデバイスにより、ポインタがチェック項目上に移動させられ、クリック等の入力が行われた場合、端末装置１は、該チェック項目に対してチェック済み表示の制御を行う。
【００３３】
表示装置３は、端末装置１が生成した業務画面２０を表示する。表示装置３は、例えば、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置およびＣＲＴ（Ｃａｔｈｏｄｅ  Ｒａｙ  Ｔｕｂｅ）ディスプレイ装置などの表示装置で構成される。また、表示装置３は、例えば、ＶＧＡ（Ｖｅｄｅｏ  Ｇｒａｐｈｉｃｓ  Ａｒｒａｙ）端子、ＤＶＩ（Ｄｉｇｉｔａｌ  Ｖｉｓｕａｌ  Ｉｎｔｅｒｆａｃｅ）端子、または光オーディオ端子などの接続端子を有し、それぞれの端子と接続可能な映像信号通信ケーブルによって端末装置１と接続される。
【００３４】
入力デバイス５Ａおよび５Ｂは、例えば、マウス、キーボード、タッチパネル、ボタン、マイクロフォン、スイッチおよびレバーなど、操作者が情報を入力するための入力手段と、操作者による入力に基づいて入力信号を生成し端末装置１に出力する入力制御回路などから構成される。また、入力デバイス５Ａおよび５Ｂは、例えば、ＵＳＢ（Ｕｎｉｖｅｒｓａｌ  Ｓｅｒｉａｌ  Ｂｕｓ）端子、ＩＥＥＥ１３９４端子、またはＳＣＳＩ（Ｓｍａｌｌ  Ｃｏｍｐｕｔｅｒ  Ｓｙｓｔｅｍ  Ｉｎｔｅｒｆａｃｅ）端子などの接続端子を有し、それぞれの端子と接続可能な情報通信ケーブルにより端末装置１と接続される。
【００３５】
なお、上記では、端末装置１、表示装置３、入力デバイス５Ａおよび５Ｂは、それぞれ別個の装置として説明を行ったが、本発明は、係る例示に限定されない。例えば、端末装置１は、表示装置３、入力デバイス５Ａおよび５Ｂの少なくともどちらか一方と組み合わされた構成であってもよい。
【００３６】
業務画面２０は、事務規定および事務マニュアル等に基づいた各種業務を行わせるために、操作者に対して事務作業を誘導する画面表示、および確認事項のチェックを促す画面表示を行う。具体的には、業務画面２０は、操作者が情報入力を行う入力フィールドを有する入力領域２１、および操作者が確認事項をチェックした際にチェック済み表示に変更されるチェック項目を有するチェック項目領域２２を含む画面である。
【００３７】
ここで、入力領域２１が有する入力フィールドは、操作者によってキーボード等からの文字入力等が行われることにより情報入力が行われる。入力フィールドは、誤入力等を防ぐために、あらかじめポインタ等の位置合わせにより選択され、入力対象状態になっていないと情報入力を行うことができない。さらに入力対象は、操作者が最後に入力操作を行った入力フィールドおよびチェック項目等に自動的に設定される。
【００３８】
したがって、従来、業務画面２０において、入力フィールドへの情報入力中に、チェック項目に対してチェック済み表示の制御を行った場合、チェック済み表示制御後の入力対象は、該チェック済み表示制御を行ったチェック項目に設定されていた。したがって、業務画面２０において、情報入力中であった入力フィールドに、引き続き情報入力を行うためには、ポインタ等の位置合わせにより該入力フィールドを再度選択し直し、入力対象に再設定しないといけなかった。
【００３９】
本発明の実施形態に係る端末装置１によれば、位置合わせを含まない所定の入力操作により、チェック項目のチェック済み表示制御を行うことが可能である。また、本発明の実施形態に係る端末装置１によれば、チェック項目へのチェック済み表示の制御前後で、情報入力が行われる入力対象となる入力フィールドが同一となるように業務画面２０の制御を行うことが可能である。
【００４０】
したがって、例えば、操作者は、ポインタ等を移動させる位置合わせを行わずとも、キーボード等の特定キーの押下によりチェック項目に対してチェック済み表示の制御を行うことができる。また、操作者は、該チェック済み表示の制御後に、入力対象をポインタ等の位置合わせにより選択し直すことなく、連続して情報入力中であった入力フィールドへ情報入力を行うことが可能となる。
【００４１】
よって、本発明の実施形態に係る端末装置１によれば、例えば、操作者は、マウス等のポインティングデバイスを用いずに、キーボード等の文字入力デバイスのみで業務画面２０への情報入力、およびチェック項目へのチェック済み表示制御が行うことが可能になり、作業効率を向上させることができる。
【００４２】
＜２．本発明の実施形態に係る端末装置の内部構成＞
続いて、図２を参照して本発明の実施形態に係る端末装置１等の内部構成について、より具体的に説明を行う。図２は、本発明の実施形態に係る端末装置１、表示装置３、および入力デバイス５の内部構成を示したブロック図である。
【００４３】
［２．１．端末装置の内部構成］
まず、図２を参照して、本発明の実施形態に係る端末装置１等の内部構成について説明を行う。図２に示すように、本発明の実施形態に係る端末装置１は、入力情報受信部１００と、画面情報送信部１０２と、チェック制御部１０４と、画面生成部１０６と、入力対象制御部１０８と、チェック順序記憶部１１０と、チェック項目強調部１１２と、チェック無効化部１１４と、警戒チェック項目記憶部１１６と、警戒チェック項目設定部１１８と、を備える。
【００４４】
入力情報受信部１００は、操作者の入力操作を入力デバイス５から受信する。具体的には、入力情報受信部１００は、キーボード等の押下されたキー、マウス等の移動方向および移動距離等の情報を入力デバイス５から受信する。入力情報受信部１００は、例えば、ＵＳＢ端子、ＩＥＥＥ１３９４端子、またはＳＣＳＩ端子などのような外部入力機器を接続するための接続端子を有する接続インターフェースであってもよい。
【００４５】
画面情報送信部１０２は、表示装置３に表示させる画像情報を送信する。具体的には、画面情報送信部１０２は、画面生成部１０６が生成した画面の画像情報を表示装置３に送信する。画面情報送信部１０２は、例えば、ＶＧＡ端子、ＤＶＩ端子、または光オーディオ端子などのような外部映像機器を接続するための接続端子を有する接続インターフェースであってもよい。
【００４６】
チェック制御部１０４は、入力デバイス５Ａおよび５Ｂからの入力に基づいて、チェック項目に対してチェック済み表示の制御を行う。具体的には、チェック制御部１０４は、入力デバイス５Ａおよび５Ｂから簡易チェック入力操作が行われた場合に、チェック項目に対して、チェック済み表示への変更またはチェック済み表示の解除を行う。簡易チェック入力操作とは、上述したように、例えば、キーボードの特定キーの押下、マウスおよび制御パネル等の特定ボタンの押下などであり、あらかじめ端末装置１において設定されている。
【００４７】
ここで、チェック制御部１０４がチェック済み表示制御を行うチェック項目および行う制御の内容は、チェック項目領域２２におけるチェック項目の制御順序、およびチェック項目領域２２のチェック項目がチェック済み表示であるか否かに基づいて判断される。なお、後述するが、チェック項目領域２２におけるチェック項目の制御順序は、各業務画面２０のチェック項目領域２２ごとにあらかじめ設定され、チェック順序記憶部１１０に記憶されている。
【００４８】
具体的には、チェック制御部１０４は、チェック項目領域２２のチェック項目がすべて未チェック済み表示である場合、設定された制御順序において、最初の順序に設定されたチェック項目をチェック済み表示に変更する。また、チェック制御部１０４は、チェック項目領域２２にチェック済み表示のチェック項目が存在する場合、最後にチェック済み表示に変更されたチェック項目の後に順序付けられる未チェック済み表示のチェック項目をチェック済み表示に変更する。係る構成によれば、操作者は、ポインタ等とチェック項目との位置合わせを行うことなく、チェック項目へのチェック済み表示の変更を行うことができる。
【００４９】
さらに、チェック制御部１０４は、チェック項目領域２２のチェック項目がすべてチェック済み表示である場合、設定された制御順序において、最初の順序に設定されたチェック項目のチェック済み表示の解除を行ってもよい。なお、チェック制御部１０４が上記のチェック項目のチェック済み表示の解除を行った場合、チェック制御部１０４は、チェック項目領域２２のチェック項目がすべて未チェック済み表示になるまで、設定された制御順序に従ってチェック済み表示であるチェック項目のチェック済み表示の解除を行ってもよい。
【００５０】
なお、上記実施形態において、チェック制御部１０４は、チェック項目に対するチェック済み表示への変更および解除を、同一の簡易チェック入力操作により行ったが、本発明は、係る例示に限定されない。例えば、チェック制御部１０４は、第１の簡易チェック入力操作によりチェック項目に対してチェック済み表示への変更を行い、第２の簡易チェック入力操作によりチェック項目に対してチェック済み表示の解除を行ってもよい。
【００５１】
具体的には、チェック制御部１０４は、チェック項目領域２２のチェック項目がすべて未チェック済み表示である場合、第１の簡易チェック入力操作により、設定された制御順序において最初の順序に設定されたチェック項目をチェック済み表示に変更してもよい。また、チェック制御部１０４は、チェック項目領域２２にチェック済み表示のチェック項目が存在する場合、第１の簡易チェック入力操作により、最後にチェック済み表示に変更されたチェック項目の後に順序付けられる未チェック済み表示であるチェック項目をチェック済み表示に変更してもよい。
【００５２】
一方、チェック制御部１０４は、第２の簡易チェック入力操作により、最後にチェック済み表示に変更されたチェック項目から、チェック済み表示に変更された順番をさかのぼる順序で、チェック済み表示の解除を行ってもよい。また、チェック制御部１０４は、最初にチェック済み表示に変更されたチェック項目から、チェック済み表示に変更された順序で、チェック済み表示の解除を行ってもよい。また、チェック制御部１０４は、第２の簡易チェック入力操作により、チェック済み表示に変更されたすべてのチェック項目に対して、チェック済み表示の解除を行ってもよい。係る構成によれば、チェック項目に対するチェック済み表示の変更および解除をポインタ等とチェック項目との位置合わせを行うことなく制御することができるため、操作者の作業効率が向上する。
【００５３】
さらに、チェック制御部１０４は、第１の簡易チェック入力操作によりチェック項目に対してチェック済み表示への変更を行い、第２の簡易チェック入力操作により、個別にチェック済み表示の解除を行い、第３の簡易チェック入力操作により、チェック済み表示に変更されたすべてのチェック項目のチェック済み表示を解除してもよい。
【００５４】
ここで、第１の入力操作、第２の入力操作、および第３の入力操作は、例えば、キーボードからのそれぞれ別の特定キーの押下であってもよい。また、第３の入力操作は、第２の入力操作において押下する特定キーを一定時間以上押下し続けることであってもよい。
【００５５】
画面生成部１０６は、表示装置３に表示させる画面を生成する。具体的には、画面生成部１０６は、操作者が情報入力を行う入力フィールドを有する入力領域２１、および操作者が確認事項をチェックした際にチェック済み表示に変更されるチェック項目を有するチェック項目領域２２を含む業務画面２０を生成する。また、画面生成部１０６が生成した業務画面２０は、チェック制御部１０４、入力対象制御部１０８、およびチェック項目強調部１１２により表示等の制御が行われる。
【００５６】
入力対象制御部１０８は、チェック制御部１０４がチェック済み表示の制御を行う前後において、入力対象となっている入力フィールドが同一となるように入力対象の制御を行う。具体的には、入力対象制御部１０８は、チェック制御部１０４がチェック済み表示の制御を行う際に、入力対象となっている入力フィールドの位置情報を取得する。また、入力対象制御部１０８は、チェック済み表示の制御後において、位置情報を取得した入力フィールドに、入力対象を変更する。
【００５７】
係る構成によれば、操作者は、チェック項目へのチェック入力前後において、連続して入力フィールドへの情報入力を行うことが可能であるため、作業効率が向上する。なお、入力対象制御部１０８により入力対象に変更された入力フィールドにおける入力位置（すなわち、入力カーソル位置）は、例えば、該入力フィールドの先頭であってもよい。
【００５８】
また、入力対象制御部１０８は、チェック済み表示制御が行われる際に、入力対象となっている入力フィールドの位置情報に加えて、該入力フィールドにおける入力位置（すなわち、入力カーソル位置）の情報を取得してもよい。係る場合、入力対象制御部１０８は、チェック済み表示の制御後において、位置情報を取得した入力フィールドに入力対象を変更し、さらに、該入力フィールドの入力位置を取得した入力位置に設定してもよい。係る構成によれば、操作者は、入力フィールドへ情報入力を行っている途中に、チェック項目に対してチェック入力を行った場合でも、途切れることなく情報入力が可能である。
【００５９】
加えて、入力対象制御部１０８は、入力対象となっている入力フィールドが、入力字数制限を有する生年月日等の入力フィールドであり、かつ、入力位置から情報入力が完了していると判断可能な場合、チェック済み表示の制御後において、入力対象を次に入力することが順序付けられている入力フィールドに変更してもよい。
【００６０】
なお、上記実施形態において、入力対象制御部１０８は、チェック済み表示の制御が行われる際に、入力対象となっている入力フィールドの位置情報を取得し、チェック済み表示の制御後において、位置情報を取得した入力フィールドに入力対象を変更したが、本発明は係る例示に限定されない。例えば、入力対象制御部１０８は、チェック制御部１０４がチェック済み表示の制御を行う前後で、入力フィールドの入力対象状態を固定することによって、上記の機能を達成してもよい。
【００６１】
チェック順序記憶部１１０は、チェック項目領域２２において、チェック項目にあらかじめ設定された制御順序と、実際にチェック項目をチェック済み表示に変更した順序とを記憶する。具体的には、チェック順序記憶部１１０は、各業務画面２０に含まれるチェック項目領域２２が有するチェック項目において、チェック制御部１０４により制御されるチェック項目の制御順序を記憶する。また、チェック順序記憶部１１０は、表示装置３が表示中の業務画面２０に含まれるチェック項目領域２２が有するチェック項目において、実際にチェック済み表示に変更された順序を記憶する。例えば、操作者が位置合わせを含む入力操作によって、チェック順序記憶部１１０に記憶された制御順序と異なる順序で、チェック項目をチェック済み表示に変更した場合、チェック順序記憶部１１０は、係るチェック済み表示の変更順序を記憶する。
【００６２】
チェック項目強調部１１２は、チェック制御部１０４により次にチェック済み表示に変更されることが順序付けられているチェック項目を強調するよう表示を制御する。具体的には、チェック項目強調部１１２は、チェック順序記憶部１１０に記憶された制御順序を参照することで、次に簡易チェック入力操作にてチェック済み表示に変更されるチェック項目を判断する。また、チェック項目強調部１１２は、次にチェック済み表示に変更されるチェック項目を強調するよう表示を制御する。
【００６３】
より具体的には、チェック項目強調部１１２は、チェック項目領域２２において、いずれのチェック項目もチェック済み表示に変更されていない場合、最初の制御順序のチェック項目を強調するよう表示を制御する。また、チェック項目強調部１１２は、チェック項目領域２２において、いずれかのチェック項目がチェック済み表示に変更された場合、最後にチェック済み表示に変更されたチェック項目の次の制御順序に順序付けられたチェック項目を強調するよう表示を制御する。
【００６４】
ここで、例えば、チェック項目強調部１１２は、次にチェック済み表示に変更されるチェック項目を、赤などの強調色で表示したり、太字表示にしたり、エフェクト処理を施した表示する制御を行ってもよい。
【００６５】
チェック無効化部１１４は、特定のチェック項目に対して、チェック制御部１０４によるチェック済み表示の制御を無効化する。具体的には、チェック無効化部１１４は、警戒チェック項目記憶部１１６に記憶された業務画面２０のチェック項目に対して、簡易チェック入力操作によってチェック済み表示の制御が行われないように、チェック制御部１０４による制御を無効化させる。また、チェック無効化部１１４は、チェック済み表示の制御が無効化された場合、係る無効化が行われた旨を操作者に伝達する表示の生成を画面生成部１０６に指示してもよい。係る構成によれば、重要なチェック項目については、意図して操作者に位置合わせを含む入力操作を要求することにより、操作者のチェックミスを防止し、事務作業の正確性を向上させることができる。
【００６６】
警戒チェック項目設定部１１８は、警戒チェック項目記憶部１１６に、チェック制御部１０４によるチェック済み表示の制御を無効化するチェック項目を記憶させる。例えば、警戒チェック項目記憶部１１６には、新規に設置された、または変更が行われたチェック項目が記憶されてもよい。また、警戒チェック項目記憶部１１６には、操作者が過去にチェック入力漏れがあったチェック項目が記憶されてもよい。さらに、警戒チェック項目記憶部１１６には、操作者がチェック入力していたにもかかわらず、確認内容に不備があったチェック項目が記憶されてもよい。
【００６７】
ここで、警戒チェック項目設定部１１８は、例えば、端末装置１の管理者の操作により、該管理者が重要であると判断したチェック項目を警戒チェック項目記憶部１１６に記憶させてもよい。また、警戒チェック項目設定部１１８は、操作者の操作ログから、チェックミス等があったチェック項目を自動的に抽出し、該チェック項目を警戒チェック項目記憶部１１６に記憶させてもよい。
【００６８】
さらに、警戒チェック項目設定部１１８は、チェックミス等があったチェック項目について、チェックミスの回数が閾値を超えた場合に、該チェック項目を警戒チェック項目記憶部１１６へ記憶させてもよい。また、警戒チェック項目設定部１１８は、チェックミス等があったチェック項目について、ミスの内容によりポイントを付与し、ポイントが閾値を超えたチェック項目を警戒チェック項目記憶部１１６に記憶させてもよい。なお、警戒チェック項目設定部１１８は、警戒チェック項目記憶部１１６に記憶させたチェック項目を一定期間後、または所定の条件により削除する機能を有していてもよい。
【００６９】
［２．２．表示装置および入力デバイスの内部構成］
次に、引き続き図２を参照して、表示装置３および入力デバイス５の内部構成について説明を行う。図２に示すように、表示装置３は、画面表示部３００と、画面情報受信部３０２と、を備え、入力デバイス５は、入力情報取得部５００と、入力情報送信部５０２とを備える。
【００７０】
画面表示部３００は、端末装置１の画面生成部１０６が生成した業務画面２０を表示する。例えば、画面表示部３００は、液晶ディスプレイ（ＬＣＤ）、ＯＬＥＤおよびＣＲＴディスプレイなどであってもよい。
【００７１】
画面情報受信部３０２は、端末装置１から画面表示部３００が表示する画像情報を受信する。画面情報受信部３０２は、画面情報送信部１０２と対応する機器接続インターフェースであって、例えば、ＶＧＡ端子、ＤＶＩ端子、または光オーディオ端子などの接続端子を有する接続インターフェースであってもよい。
【００７２】
入力情報取得部５００は、操作者から情報を入力される手段を有し、操作者の入力操作を入力信号に変換する。入力情報取得部５００は、例えば、キーボードのキー、マウスのボタン、およびマウスの移動検知センサなどと、それらの制御回路である。
【００７３】
入力情報送信部５０２は、入力デバイス５から端末装置１へ操作者の入力操作を送信する。入力情報送信部５０２は、入力情報受信部１００と対応する機器接続インターフェースであって、例えば、ＵＳＢ端子、ＩＥＥＥ１３９４端子、またはＳＣＳＩ端子などの接続端子を有する接続インターフェースであってもよい。
【００７４】
［２．３．本発明の実施形態に係る端末装置の内部構成のまとめ］
以上において、本発明の実施形態に係る端末装置１等の内部構成について説明を行った。係る本発明の実施形態に係る端末装置１は、ポインタ等とチェック項目との位置合わせを含まない入力操作である簡易チェック入力操作によりチェック項目に対してチェック済み表示制御を行うことができる。また、本発明の実施形態に係る端末装置１は、チェック項目へのチェック済み表示制御前後において、操作者が連続して入力フィールドへ情報入力を行うことを可能にする。したがって、本発明の実施形態に係る端末装置１により、操作者は作業効率を向上させることができる。さらに、本発明の実施形態に係る端末装置１は、重要なチェック項目については、意図的に位置合わせを含む入力操作を操作者に要求することができる。よって、本発明の実施形態に係る端末装置は、操作者のチェックミスを防止し、事務作業の正確性を向上させることができる。
【００７５】
＜３．本発明の実施形態に係る端末装置の画面制御＞
続いて、図３〜７を参照して、本発明の実施形態に係る端末装置１が行う画面制御の具体例について、説明を行う。図３は、本発明の実施形態に係る端末装置１が生成する業務画面の具体例を示す説明図である。また、図４〜７は、図３に示す業務画面の制御の具体例を示す説明図である。
【００７６】
図３に示すように、本発明の実施形態に係る端末装置１が生成する業務画面２００は、入力領域２１０と、チェック項目領域２２０と、を含む。ここで、業務画面２００は、例えば、口座開設業務における帳票入力画面である。
【００７７】
入力領域２１０は、少なくとも一つ以上の入力フィールドを有する。具体的には、入力領域２１０は、漢字氏名入力フィールド２１１、カナ氏名入力フィールド２１２、住所入力フィールド２１３、生年月日入力フィールド２１４、国籍入力フィールド２１５、備考入力フィールド２１６を有する。操作者は、それぞれの入力フィールドに情報入力を行うことにより口座開設業務を次の業務画面に進行させることができる。
【００７８】
例えば、図３においては、漢字氏名入力フィールド２１１には、「沖  太郎」と入力され、カナ氏名入力フィールド２１２には、「オキ  タロウ」と入力され、住所入力フィールド２１３には、「埼玉県」と入力され、生年月日入力フィールド２１４には、「１９８０／１２／１」と入力され、国籍入力フィールド２１５には、「日本」と入力されている。また、備考入力フィールド２１６には、入力がされていない。
【００７９】
チェック項目領域２２０は、少なくとも一つ以上のチェック項目を有する。具体的には、チェック項目領域２２０は、第１チェック項目２２２、第２チェック項目２２４、第３チェック項目２２６を有する。操作者は、各チェック項目をチェック済み表示に変更した上で、口座開設業務を次の業務画面に進行させる。
【００８０】
例えば、図３においては、第１チェック項目２２２は、「氏名に間違いはないか」を確認するチェック項目であり、第２チェック項目２２４は、「国籍を入力したか」を確認するチェック項目であり、第３チェック項目２２６は、「特例の事項がある場合に備考を入力したか」を確認するチェック項目である。ここで、チェック順序記憶部１１０に記憶される各チェック項目の制御順序は、順に、第１チェック項目２２２、第２チェック項目２２４、第３チェック項目２２６となっているとする。
【００８１】
次に、図３〜図７を参照して、図３で示す業務画面において、本発明の実施形態に係る端末装置１が行う画面制御について、具体例を挙げて説明する。
【００８２】
図３に示す業務画面２００では、チェック項目領域２２０の第１チェック項目２２２、第２チェック項目２２４、第３チェック項目２２６のいずれもが未チェック済み表示である。したがって、係る業務画面２００において、簡易チェック入力操作が行われた場合、端末装置１のチェック制御部１０４は、制御順序が最初に設定されている第１チェック項目２２２をチェック済み表示に変更する。また、係る簡易チェック入力操作が行われた際に、入力対象の入力フィールドが、例えば、カナ氏名入力フィールド２１２であった場合、入力対象制御部１０８は、チェック済み表示の制御後の入力対象が、カナ氏名入力フィールド２１２となるように、入力対象の制御を行う。
【００８３】
なお、例えば、第１チェック項目２２２が警戒チェック項目記憶部１１６に記憶されていた場合、チェック無効化部１１４がチェック制御部１０４の制御を無効化するため、第１チェック項目２２２はチェック済み表示に変更されない。
【００８４】
また、図４に示す業務画面２００Ａでは、チェック項目領域２２０Ａの第１チェック項目２２２Ａおよび第２チェック項目２２４Ａがチェック済み表示に変更されており、第３チェック項目２２６Ａは、未チェック済み表示である。したがって、例えば、図４に示す業務画面２００Ａにおいて、簡易チェック入力操作が行われた場合、チェック制御部１０４は、第２チェック項目２２４Ａの次の制御順序となっている第３チェック項目２２６Ａをチェック済み表示に変更する。
【００８５】
続いて、図５に示す業務画面２００Ｂでは、チェック項目領域２２０Ｂの第２チェック項目２２４Ｂが、位置合わせを含む入力操作によりチェック済み表示に変更されている。また、第１チェック項目２２２Ｂおよび第３チェック項目２２６Ｂは未チェック済み表示である。したがって、例えば、図５に示す業務画面２００Ｂにおいて、簡易チェック入力操作が行われた場合、チェック制御部１０４は、第２チェック項目２２４Ｂの次の制御順序となっている第３チェック項目２２６Ｂをチェック済み表示に変更する。
【００８６】
次に、図６に示す業務画面２００Ｃでは、チェック項目領域２２０Ｃの第１チェック項目２２２Ｃがチェック済み表示に変更されており、第２チェック項目２２４Ｃおよび第３チェック項目２２６Ｃは未チェック済み表示である。ここで、チェック項目強調部１１２は、次にチェック済み表示制御が行われる第２チェック項目２２４Ｃを強調するよう表示を制御してもよい。また、簡易チェック入力操作により、チェック制御部１０４が第２チェック項目２２４Ｃをチェック済み表示に変更した場合、チェック項目強調部１１２は、次にチェック済み表示制御が行われる第３チェック項目２２６Ｃを強調するよう表示を制御してもよい。
【００８７】
また、図７に示す業務画面２００Ｄでは、チェック項目領域２２０Ｄの第１チェック項目２２２Ｄ、第２チェック項目２２４Ｄ、第３チェック項目２２６Ｄのいずれもがチェック済み表示に変更されている。したがって、例えば、図７に示す業務画面２００Ｄにおいて、簡易チェック入力操作が行われた場合、チェック制御部１０４は、制御順序が最初に設定されている第１チェック項目２２２Ｄのチェック済み表示を解除してもよい。
【００８８】
さらに、図７に示す業務画面２００Ｄにおいて、チェック制御部１０４が、第１の入力操作によりチェック項目のチェック済み表示への変更を行い、また、第２の入力操作によりチェック済み表示の解除を行う場合について説明する。ここで、チェック順序記憶部１１０に記憶されている各チェック項目がチェック済み表示に変更された順序は、第１チェック項目２２２Ｄ、第２チェック項目２２４Ｄ、第３チェック項目２２６Ｄの順であるとする。
【００８９】
図７に示す業務画面２００Ｄにおいて、チェック制御部１０４は、第２の所定の入力操作が行われた場合、最後にチェック済み表示に変更された第３チェック項目２２６Ｄのチェック済み表示を解除してもよい。さらに、第２の所定の入力操作が行われた場合、チェック制御部１０４は、チェック済み表示に変更された順序をさかのぼるように、第２チェック項目２２４Ｄ、第１チェック項目２２２Ｄの順でチェック済み表示を解除してもよい。
【００９０】
また、他の制御形態として、チェック制御部１０４は、第２の所定の入力操作が行われた場合、最初にチェック済み表示に変更された第１チェック項目２２２Ｄのチェック済み表示を解除してもよい。さらに、第２の所定の入力操作が行われた場合、チェック制御部１０４は、チェック済み表示に変更された順序にしたがって、第２チェック項目２２４Ｄ、第３チェック項目２２６Ｄの順でチェック済み表示を解除してもよい。
【００９１】
さらに、他の制御形態として、第２の所定の入力操作が行われた場合、チェック制御部１０４は、第１チェック項目２２２Ｄ、第２チェック項目２２４Ｄ、第３チェック項目２２６Ｄのすべてのチェック項目のチェック済み表示を解除してもよい。
【００９２】
＜４．本発明の実施形態に係る端末装置の動作＞
以下では、図８を参照して、本発明の実施形態に係る端末装置１の動作について、説明を行う。図８は、本発明の実施形態に係る端末装置１の動作を示したフローチャート図である。
【００９３】
図８に示すように、まず、チェック制御部１０４は、簡易チェック入力操作であるチェック項目入力キーが押下されたことを検知する（Ｓ１００）。次に、チェック制御部１０４は、表示中の業務画面２０においてチェック項目が存在するか否かを判断する（Ｓ１１０）。ここで、表示中の業務画面２０においてチェック項目が存在しない場合（Ｓ１１０／Ｎｏ）、端末装置１は、動作を終了し、チェック項目入力キーの押下を待つ待機状態に戻る。
【００９４】
また、表示中の業務画面２０においてチェック項目が存在する場合（Ｓ１１０／Ｙｅｓ）、入力対象制御部１０８は、入力対象となっている入力フィールドの位置情報を取得する（Ｓ１２０）。さらに、チェック制御部１０４は、チェック順序記憶部１１０を参照し、直前にチェック済み表示の制御が行われたチェック項目が存在するか否かを判断する（Ｓ１３０）。直前にチェック済み表示の制御が行われたチェック項目が存在する場合（Ｓ１３０／Ｙｅｓ）、チェック制御部１０４は、該直前にチェック済み表示に変更されたチェック項目の次に順序付けられたチェック項目をチェック対象に設定する（Ｓ１４０）。ここで、直前にチェック済み表示の制御が行われたチェック項目が存在しない場合（Ｓ１３０／Ｎｏ）、チェック制御部１０４は、チェック順序記憶部１１０に記憶された制御順序で最初に順序付けられたチェック項目をチェック対象に設定する（Ｓ１５０）。
【００９５】
次に、チェック無効化部１１４は、Ｓ１４０またはＳ１５０において、チェック対象に設定されたチェック項目が、警戒チェック項目記憶部１１６に記憶されているか否かを判断する（Ｓ１６０）。チェック対象に設定されたチェック項目が、警戒チェック項目記憶部１１６に記憶されていない場合（Ｓ１６０／Ｎｏ）、チェック無効化部１１４は、チェック制御部１０４の制御を無効化せず、チェック対象のチェック項目において、チェック済み表示の制御が行われる（Ｓ１７０）。一方、チェック対象に設定されたチェック項目が、警戒チェック項目記憶部１１６に記憶されている場合（Ｓ１６０／Ｙｅｓ）、チェック無効化部１１４によりチェック制御部１０４の制御が無効化される。
【００９６】
さらに、チェック項目のチェック済み表示制御が終了した後、入力対象制御部１０８は、業務画面２０の入力対象をチェック済み表示の制御前であるＳ１２０で位置情報を取得した入力フィールドに変更する（Ｓ１８０）。
【００９７】
なお、入力対象制御部１０８が、チェック制御部１０４によるチェック済み表示の制御前後において、入力フィールドの入力対象状態を維持する制御を行う場合、Ｓ１２０の動作は「入力対象となっている入力フィールドに、入力対象を固定する」となり、Ｓ１８０の動作が省略される。係るフローチャートによっても、本発明の実施形態に係る端末装置１の動作を実現することが可能である。例えば、係る制御とは、入力対象の入力フィールドからチェック項目へフォーカスを移動させることなく、チェック項目のチェック状態を変更するような制御がこれに相当する。
【００９８】
＜５．ハードウェア構成＞
以上にて、本発明の実施形態に係る端末装置１の動作について、説明を行った。上記にて説明を行った本発明の実施形態に係る端末装置１の情報処理は、ソフトウェアとハードウェアとの協働により実現される。以下では、本発明の実施形態に係る端末装置１のハードウェア構成について、図９を参照して説明する。
【００９９】
図９は、本発明の実施形態に係る端末装置１のハードウェア構成を示すブロック図である。端末装置１は、ＣＰＵ（Ｃｅｎｔｒａｌ  Ｐｒｏｃｅｓｓｉｎｇ  Ｕｎｉｔ）１５０と、ＲＯＭ（Ｒｅａｄ  Ｏｎｌｙ  Ｍｅｍｏｒｙ）１５２と、ＲＡＭ（Ｒａｎｄｏｍ  Ａｃｃｅｓｓ  Ｍｅｍｏｒｙ）１５４と、内部バス１５６と、を備え、さらに、入出力インターフェース１５８と、ＨＤＤ（Ｈａｒｄ  Ｄｉｓｋ  Ｄｒｉｖｅ）１６０と、ドライブ１６２と、ネットワークインターフェース１６４と、外部インターフェース１６６と、を備える。
【０１００】
ＣＰＵ１５０は、演算処理装置および制御装置として機能し、各種プログラムに従って端末装置１の動作全般を制御する。なお、ＣＰＵ１５０は、チェック制御部１０４、画面生成部１０６、入力対象制御部１０８、チェック項目強調部１１２、チェック無効化部１１４、警戒チェック項目設定部１１８に対応し、各部の機能を実現する。
【０１０１】
ＲＯＭ１５２は、ＣＰＵ１５０が使用するプログラムや演算パラメータ等を記憶する。ＲＡＭ１５４は、ＣＰＵ１５０の実行において使用するプログラムや、その実行において適宜変化するパラメータ等を一時記憶する。これらは内部バス１５６により相互に接続され、さらに入出力インターフェース１５８を介して後述するＨＤＤ１６０、ドライブ１６２、ネットワークインターフェース１６４、および外部インターフェース１６６と接続される。
【０１０２】
ＨＤＤ１６０は、本発明の実施形態に係る端末装置１の記憶部の一例として構成されたデータ格納用の装置である。ＨＤＤ１６０は、記憶媒体、記憶媒体にデータを記録する記録装置、記憶媒体からデータを読み出す読出装置、および記憶媒体に記憶されたデータを削除する削除装置を含む。該ＨＤＤ１６０は、ＣＰＵ１５０が実行するプログラムや各種データを格納してもよい。なお、ＨＤＤ１６０は、チェック順序記憶部１１０、および警戒チェック項目記憶部１１６に対応し、各部の機能を実現する。
【０１０３】
ドライブ１６２は、記憶媒体用リーダライタであり、端末装置１に内蔵、あるいは外付けされる。ドライブ１６２は、装着されている磁気ディスク、光ディスク、光磁気ディスク、または半導体メモリ等のリムーバブル記憶媒体に記憶されている情報を読み出してＲＡＭ１５４に出力する。またドライブ１６２は、リムーバブル記憶媒体に情報を書き込むことも可能である。
【０１０４】
ネットワークインターフェース１６４は、例えば、イントラネット、およびインターネット等に接続するための通信デバイス等で構成された通信インターフェースである。また、ネットワークインターフェース１６４は、有線ＬＡＮ（Ｌｏｃａｌ  Ａｒｅａ  Ｎｅｔｗｏｒｋ）または無線ＬＡＮ対応通信装置であってもよいし、有線による通信を行うワイヤー通信装置であってもよい。
【０１０５】
外部インターフェース１６６は、例えば、ＵＳＢ端子、ＩＥＥＥ１３９４端子、またはＳＣＳＩ端子などのような外部入力機器を接続するための接続端子を有する接続インターフェース、およびＶＧＡ端子、ＤＶＩ端子、または光オーディオ端子などのような外部映像機器を接続するための接続端子を有する接続インターフェースである。なお、外部インターフェース１６６は、入力情報受信部１００、および画面情報送信部１０２に対応し、各部の機能を実現する。
【０１０６】
＜６．まとめ＞
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１０７】
本発明の実施形態に係る端末装置は、位置合わせを含まない入力操作である簡易チェック入力操作によってチェック項目に対してチェック済み表示の制御を行うことを可能にする。また、本発明の実施形態に係る端末装置は、チェック項目へのチェック済み表示制御の前後において、操作者が連続して入力フィールドへ情報入力を行うことを可能にする。したがって、本発明の実施形態に係る端末装置により、操作者は作業効率を向上させることができる。さらに、本発明の実施形態に係る端末装置は、重要なチェック項目については、意図的に操作者に対して位置合わせを含む入力操作を要求することができる。よって、本発明の実施形態に係る端末装置は、操作者のチェックミスを防止し、事務作業の正確性を向上させることができる。
【０１０８】
なお、本発明の実施形態に係る端末装置１に内蔵されるＣＰＵ、ＲＯＭおよびＲＡＭなどのハードウェアに、上述した端末装置１の各構成と同等の機能を発揮させるためのコンピュータプログラムも作成可能である。また、該コンピュータプログラムを記憶させた記憶媒体も提供される。
【０１０９】
係るコンピュータプログラムは、汎用の情報処理装置に導入することで、本発明の実施形態に係る端末装置の各構成と同等の機能を発揮させるものであってもよい。また、ウェブアプリケーションなどのように、ネットワークで接続された少なくとも一つ以上の汎用の情報処理装置に、本発明の実施形態に係る端末装置の各構成と同等の機能を発揮させるものであってもよい。
【０１１０】
また、ネットワークで接続された少なくとも一つ以上の汎用の情報処理装置に、本発明の実施形態に係る端末装置の各構成と同等の機能を発揮させるような管理装置も、同様に本発明の範疇に含まれる。
【符号の説明】
【０１１１】
１        端末装置
３        表示装置
５、５Ａ、５Ｂ  入力デバイス
２０、２００    業務画面
２１、２１０    入力領域
２２、２２０    チェック項目領域
１００    入力情報受信部
１０２    画面情報送信部
１０４    チェック制御部
１０６    画面生成部
１０８    入力対象制御部
１１０    チェック順序記憶部
１１２    チェック項目強調部
１１４    チェック無効化部
１１６    警戒チェック項目記憶部
１１８    警戒チェック項目設定部
３００    画面情報受信部
３０２    画面表示部
５００    入力情報取得部
５０２    入力情報送信部
【図１】
2014232488.tif 000003
【図２】
2014232488.tif 000004
【図３】
2014232488.tif 000005
【図４】
2014232488.tif 000006
【図５】
2014232488.tif 000007
【図６】
2014232488.tif 000008
【図７】
2014232488.tif 000009
【図８】
2014232488.tif 000010
【図９】
2014232488.tif 000011